(57)【要約】【課題】側面板を組み付けた状態では側面板の上部が固定されておらず、組立作業者は側面板が倒れないように注意しながら作業をしなければならず、作業性が悪い。【解決手段】湯水を貯湯する貯湯タンク１と、この貯湯タンク１を覆う成型断熱材６と、少なくとも正面板７ａ、左右の側面板７ｄ、７ｅ、背面板７ｃ、天板７ｆ、底板４で構成され、成型断熱材６を覆う外装体７とを備えた貯湯タンク装置において、側面板７ｄ、７ｅの一端に、側面板裏面との間に一定の間隔を有して折り返された形状の引っ掛け部９を設けると共に、成型断熱材６の一端側の端部に側面板７ｄ、７ｅが正規の位置に組み付けられた際に引っ掛け部９が差し込まれる受け部１１を設け、側面板７ｄ、７ｅの端部の引っ掛け部９が成型断熱材６の端部の受け部１１に支えられ、側面板７ｄ、７ｅが転倒することを防止できる。【選択図】図４
2010112608.tif 000002
【特許請求の範囲】
【請求項１】
湯水を貯湯する貯湯タンクと、この貯湯タンクを覆う成型断熱材と、少なくとも正面板、左右の側面板、背面板、天板、底板で構成され、前記成型断熱材を覆う外装体とを備えた貯湯タンク装置において、前記側面板の一端に、前記側面板裏面との間に一定の間隔を有して折り返された形状の引っ掛け部を設けると共に、前記成型断熱材の前記一端側の端部に前記側面板が正規の位置に組み付けられた際に前記引っ掛け部が差し込まれる受け部を設けたことを特徴とする貯湯タンク装置。
【請求項２】
前記引っ掛け部は前記側面板の端部を折り返して形成したものとしたことを特徴とする請求項１記載の貯湯タンク装置。
【請求項３】
前記側面板の左右両端の全長に渡り、この側面板裏面との間に一定の間隔を有して折り返した折り返し部を形成し、前記成型断熱材の一部を前記一端側に突出させて前記受け部として形成し、前記一端側の前記折り返し部のうち前記受け部と対向する部分を前記引っ掛け部としたことを特徴とする請求項１記載の貯湯タンク装置。
【請求項４】
前記引っ掛け部は前記側面板の前記一端側上部に設けたことを特徴とする請求項１〜３のいずれか一項に記載の貯湯タンク装置。
【請求項５】
前記請求項１〜４のいずれか一項に記載の貯湯タンク装置の組立方法であって、前記側面板の正規の位置から前記一端側にずらせた状態で下端を前記底板に載せ、前記引っ掛け部が前記成型断熱材の前記受け部に差し込まれるよう他端側に水平移動させ、正規の位置で前記側面板を前記底板に固定するようにしたことを特徴とする貯湯タンク装置の組立方法。
【請求項６】
湯水を貯湯する貯湯タンクと、この貯湯タンクを覆う成型断熱材と、少なくとも正面板、左右の側面板、背面板、天板、底板で構成され、前記成型断熱材を覆う外装体とを備えた貯湯タンク装置において、前記側面板の上端に、この側面板裏面との間に一定の間隔を有して折り返された形状の引っ掛け部を設けると共に、前記成型断熱材の前記上端に前記側面板が正規の位置に組み付けられた際に前記引っ掛け部が差し込まれる受け部を設けたことを特徴とする貯湯タンク装置。
【請求項７】
前記側面板の上端部の一部を上方に突出させた突出部を形成し、この突出部を折り返して引っ掛け部を形成したことを特徴とする請求項６記載の貯湯タンク装置。
【請求項８】
前記請求項６または７記載の貯湯タンク装置の組立方法であって、前記側面板の前記引っ掛け部を前記成型断熱材の前記受け部に差し込んでから前記側面板の下端を前記底板に載せ、前記側面板を前記底板に固定するようにしたことを特徴とする貯湯タンク装置の組立方法。
【発明の詳細な説明】
【技術分野】
【０００１】
本発明は、電気温水器やヒートポンプ式給湯機あるいは燃料電池システム等のコージェネレーション装置の貯湯タンク装置に関するものである。
【背景技術】
【０００２】
従来よりこの種の貯湯タンク装置においては、湯水を貯湯する貯湯タンクと、この貯湯タンクを載置する底板と、前記貯湯タンクを覆う発泡成形材より成る断熱材と、この断熱材を覆い貯湯タンク装置の外殻を形成する外装体とを備えて成り、この外装体は、正面板、左右の側面板、背面板、天板とで構成されているものであった。（特許文献１参照。）
【０００３】
そして、このような貯湯タンク装置の組立作業においては、左右の側面板を底板にネジ止め固定した後に、正面板と背面板を取り付け、最後に正面板、背面板、左右の側面板の上端を覆うように天板を取り付け、装置内部に雨水が入らないようにしていた。
【特許文献１】特開２００８−３２２４０号公報
【発明の開示】
【発明が解決しようとする課題】
【０００４】
ところがこの従来のものでは、貯湯容量を大きくするために、貯湯タンクの全長を高くしたり、貯湯タンクを複数個並べて設けたりするため、左右の側面板が縦横に大きくなってしまう。すると、組立作業においては、左右の側面板を底板にネジ止め固定した後に、正面板と背面板を取り付け、最後に天板を取り付けるため、左右の側面板を組み付けた状態では側面板の上部が固定されておらず、組立作業者は側面板が倒れないように注意しながら作業をしなければならず、作業性が悪いものであり、側面板が上部からめくれるように転倒してしまうと、側面板が破損してしまう可能性があった。
【課題を解決するための手段】
【０００５】
そこで、本発明は上記課題を解決するため、請求項１では、湯水を貯湯する貯湯タンクと、この貯湯タンクを覆う成型断熱材と、少なくとも正面板、左右の側面板、背面板、天板、底板で構成され、前記成型断熱材を覆う外装体とを備えた貯湯タンク装置において、前記側面板の一端に、前記側面板裏面との間に一定の間隔を有して折り返された形状の引っ掛け部を設けると共に、前記成型断熱材の前記一端側の端部に前記側面板が正規の位置に組み付けられた際に前記引っ掛け部が差し込まれる受け部を設けたものとした。
【０００６】
これにより、側面板の端部の引っ掛け部が成型断熱材の端部の受け部に支えられ、側面板が転倒することを防止できる。
【０００７】
また、請求項２では、請求項１の貯湯タンク装置において、前記引っ掛け部は前記側面板の端部を折り返して形成したものとした。
【０００８】
これにより、側面板の端部を折り返して引っ掛け部としたので、引っ掛け部を安価かつ容易に設けることができる。
【０００９】
また、請求項３では、請求項１貯湯タンク装置において、前記側面板の左右両端の全長に渡り、この側面板裏面との間に一定の間隔を有して折り返した折り返し部を形成し、前記成型断熱材の一部を前記一端側に突出させて前記受け部として形成し、前記一端側の前記折り返し部のうち前記受け部と対向する部分を前記引っ掛け部としたものとした。
【００１０】
これにより、側面板の剛性を向上させつつ、剛性を上げるための折り返し部を引っ掛け部として利用できるため、より一層側面板が転倒しにくくすることができると共に、引っ掛け部の形成が容易となる。
【００１１】
また、請求項４では、請求項１〜３のいずれかの貯湯タンク装置において、前記引っ掛け部は前記側面板の前記一端側上部に設けたものとした。
【００１２】
これにより、側面板の上部で転倒しようとする力を支えるため、より一層側面板が転倒しにくくすることができる。
【００１３】
また、請求項５では、前記請求項１〜４のいずれか一項に記載の貯湯タンク装置の組立方法であって、前記側面板の正規の位置から前記一端側にずらせた状態で下端を前記底板に載せ、前記引っ掛け部が前記成型断熱材の前記受け部に差し込まれるよう他端側に水平移動させ、正規の位置で前記側面板を前記底板に固定するようにした。
【００１４】
このように組み立てることで、側面板を作業性よく安全に、かつ容易に組み立てることができる。
【００１５】
また、請求項６では、湯水を貯湯する貯湯タンクと、この貯湯タンクを覆う成型断熱材と、少なくとも正面板、左右の側面板、背面板、天板、底板で構成され、前記成型断熱材を覆う外装体とを備えた貯湯タンク装置において、前記側面板の上端に、この側面板裏面との間に一定の間隔を有して折り返された形状の引っ掛け部を設けると共に、前記成型断熱材の前記上端に前記側面板が正規の位置に組み付けられた際に前記引っ掛け部が差し込まれる受け部を設けたものとした。
【００１６】
これにより、側面板の上端の引っ掛け部が成型断熱材の上端の受け部に支えられ、側面板が転倒することを防止できる。
【００１７】
また、請求項７では、請求項６の貯湯タンク装置において、前記側面板の上端部の一部を上方に突出させた突出部を形成し、この突出部を折り返して引っ掛け部を形成したものとした。
【００１８】
これにより、側面板の上端の突出部を折り返して引っ掛け部としたので、引っ掛け部を安価かつ容易に設けることができる。
【００１９】
また、請求項８では、前記請求項６または７記載の貯湯タンク装置の組立方法であって、前記側面板の前記引っ掛け部を前記成型断熱材の前記受け部に差し込んでから前記側面板の下端を前記底板に載せ、前記側面板を前記底板に固定するようにした
【００２０】
このように組み立てることで、側面板を作業性よく安全に、かつ容易に組み立てることができる。
【発明の効果】
【００２１】
本発明によれば、側面板の端部の引っ掛け部が成形断熱材の受け部に差し込まれて保持されるため、側面板が転倒しようとする方向へ掛かる力を引っ掛け部を介して受け部が支えることとなり、側面板が上部からめくれるように転倒するおそれがなくなり、その後の組立作業の作業性、安全性が向上する。
【発明を実施するための最良の形態】
【００２２】
次に、本発明の一実施形態の貯湯タンク装置を図面に基づいて説明する。
１は湯水を貯湯する第１貯湯タンク、２は第１貯湯タンクに直列に接続された第２貯湯タンク、３は第１貯湯タンク１、第２貯湯タンク２をそれぞれ支える複数本のタンク脚、４はタンク脚３を介して第１貯湯タンク１、第２貯湯タンク２が載置される底板、５はこの貯湯タンク装置自体を支える複数本の脚部である。
【００２３】
６は発泡性耐熱ＡＳ系樹脂等の成型断熱材で、第１貯湯タンク１、第２貯湯タンク２を覆ってタンク内の貯湯熱の放散を防止するものである。この成型断熱材６は、底部断熱材６ａ、左下断熱材６ｂ、左上断熱材６ｃ、右下断熱材６ｄ、右上断熱材６ｅ、前天部断熱材６ｆ、後天部断熱材６ｇとから構成されている。
【００２４】
第１貯湯タンク１および第２貯湯タンク２の側面にはそれぞれ缶体表面に貯湯温度を検出するための貯湯温度センサ（図示せず）が設けられており、この貯湯温度センサのメンテナンスを容易に行えるように、左下断熱材６ｂと右下断熱材６ｄ、左上断熱材６ｃと右上断熱材６ｅの合わせ面には、センサ部断熱材６ｈが着脱可能に挟み込まれている。
【００２５】
７はこの貯湯タンク装置の外殻を形成する外装体で、上正面板７ａ、下正面板７ｂ、背面板７ｃ、左側面板７ｄ、右側面板７ｅ、天板７ｆとから構成され、下正面板７ｂ、背面板７ｃ、左右の側面板７ｄ、７ｅはその下端を前記底板４にネジ止めによって固定され、上正面板７ａ、背面板７ｃ、左右の側面板７ｄ、７ｅはその上端に天板７ｆが載置され、ネジ止めによって固定されている。
【００２６】
なお、前記底板４はコーナー部４ａを残して上側に立ち上がる立ち上がり部４ｂが設けられており、この立ち上がり部４ｂには、前記外装体７をネジ止めするためのネジ穴が設けられているものである。
【００２７】
ここで、前記左右の側面板７ｄ、７ｅは、貯湯タンク装置の背面側の端部に、端部の上端から下端の全長に渡り側面板裏面との間に一定の間隔を有して折り返した折り返し部８ａが設けられ、また、左右の側面板７ｄ、７ｅの貯湯タンク装置の正面側の端部に、端部の上端から下端の全長に渡り側面板裏面との間に一定の間隔を有して折り返した折り返し部８ｂが設けられ、左右の側面板７ｄ、７ｅの剛性を確保している。そして、側面板７ｄ、７ｅの背面側端部の折り返し部８ａの上部の一部分は、この側面板７ｄ、７ｅが正規の位置に組み付けられた際に左右の側面板７ｄ、７ｅを保持するための引っ掛け部９として機能する。
【００２８】
そして、前記底部残熱材６ａ、左下断熱材６ｂ、左上断熱材６ｃ、右下断熱材６ｄ、右上断熱材６ｅの背面側のコーナー部には、水平方向に突出したフランジ部１０が上下に分散して複数設けられ、外装体７のコーナー部に内面から接して剛性を高めている。
【００２９】
前記左上断熱材６ｃと右上断熱材６ｅの複数のフランジ部１０のうち、最上部のフランジ部１０には、前記側面板７ｄ、７ｅが正規の位置に組み付けられた際に前記引っ掛け部９が差し込まれる受け部１１が形成されている。なお、この受け部１１は最上部のフランジ部１０だけでなく、下方のフランジ部１０にも設けてもよく、また、中程のフランジ部１０のみに設けてもよいものである。
【００３０】
１２は左側面板７ｄと右側面板７ｅとを連結する連結部材で、両端が貯湯タンク装置の正面側に折り曲げられたコ字状の形状で、貯湯タンク装置の背面側の中央部付近に配置されて左右の側面板７ｄ、７ｅをネジ止めにより連結すると共に、背面板７ｃもネジ止めによって固定され、左右の側面板７ｄ、７ｅが風等の外力によって中心部付近で外側へ膨らむように変形するのを防止するものである。
【００３１】
次に、本実施形態の貯湯タンク装置の組立方法について説明する。
まず、脚部５を取り付けた底板４に底部断熱材６ａを載せ、第１、第２貯湯タンク１、２をタンク脚３を介して底板４に載置固定する。そして、左下断熱材６ｂ、左上断熱材６ｃ、右下断熱材６ｄ、右上断熱材６ｅ、前後の天部断熱材６ｆ、６ｇ、センサ部断熱材６ｈを組み付ける。
【００３２】
次に、左側面板７ｄを正規の組み付け位置から１〜３センチメートル程度背面側にずらせた状態で、底板４の前面側と背面側のコーナー部４ａに左側面板７ｄの折り返し部８ａ、８ｂを載置するようにして下端を底板４に載せる。このときの図４のＡ部の状態を図５に拡大して示す。
【００３３】
そして、左側面板７ｄを貯湯タンク装置の正面側に向けて水平方向に横スライドすると、図６に示すように、左側面板７ｄの折り返し部８ａの引っ掛け部９がフランジ部１０の受け部１１に断熱材の素材を剪断しながら差し込まれる。そして、左側面板７ｄの下端部分を底板４の立ち上がり部４ｂにネジ止めして固定する。左側面板７ｄを底板４にネジ止めした後は、連結部材１２の一端を左側面板７ｄの背面側中央部にネジ止めする。
【００３４】
このようにして、左側面板７ｄの上部の引っ掛け部９が左上断熱材６ｄの受け部１１によって支えられ、底板４とのネジ止めを安定した状態で容易かつ安全に作業することができる。また、万一左側面板７ｄが転倒しそうになっても、連結部材１２の折り曲げ部位が右側面側の成形断熱材６に引っ掛かり、左側面板７ｄの転倒を防止することができる。
【００３５】
次に、右側面板７ｅを先の左側面板７ｄと同様に、正規の組み付け位置から１〜３センチメートル程度背面側にずらせた状態で、底板４の前面側と背面側のコーナー部４ａに右側面板７ｅの折り返し部８ａ、８ｂを載置するようにして下端を底板４に載せる。右側面板７ｅを貯湯タンク装置の正面側に向けて水平方向に横スライドすると、右側面板７ｅの折り返し部８ａの引っ掛け部９が、右上断熱材６ｅのフランジ部１０の受け部１１に断熱材の素材を剪断しながら差し込まれる。そして、正規の位置で右側面板７ｅの下端部分を底板４の立ち上がり部４ｂにネジ止めして固定する。右側面板７ｅを底板４にネジ止めした後は、連結部材１２の他端を右側面板７ｅの背面側中央部にネジ止めし、左右の側面板７ｄ、７ｅを連結固定する。
【００３６】
そして、背面板７ｃを底板４および連結部材１２にネジ止めし、天板７ｆを被せて左右の側面板７ｄ、７ｅおよび背面板７ｃの上端にネジ止めし、上正面板７ａ、下正面板７ｂを取り付けて組立完了となる。
【００３７】
このように、本発明によれば、側面板７ｄ、７ｅの端部の引っ掛け部９が成形断熱材６の受け部１１に差し込まれ、断熱材で挟まれるようにして保持されるため、側面板７ｄ、７ｅが転倒しようとする方向へ掛かる力を引っ掛け部９を介して受け部１１が支えることとなり、側面板７ｄ、７ｅが上部からめくれるように転倒するおそれがなくなり、その後の組立作業の作業性、安全性が向上する。
【００３８】
なお、引っ掛け部９と受け部１１は、上記実施形態のように引っ掛け部９が受け部１１の断熱材素材を剪断しながら差し込まれる形状に限定されることはなく、例えば、図７に示すような形状でもよい。この場合、フランジ部１０の上面および／または下面に溝１３を形成して受け部１１とし、折り返し部８ａに溝１３に合致する切り欠き部１４を設けて引っ掛け部９とし、側面板７ｄ、７ｅを正規の位置に組み付けると、上下の溝１３に切り欠き部１４の下端と上端が入り込み、側面板７ｄ、７ｅの転倒する方向への力を支える構造としてもよい。
【００３９】
次に、本発明の他の実施形態について図８に基づいて説明する。なお、先の実施形態と同一のものは同一の符号を付し、その説明を省略する。
１５は左右の側面板７ｄ、７ｅの上端に突出された突出部１６を側面板裏面との間に一定の間隔を有して折り返された形状の引っ掛け部で、１７は左右の上断熱材６ｃ、６ｅの上端に断熱材をくり抜いて窪ませるように設けた受け部である。
【００４０】
そして、この貯湯タンク装置の組立方法について説明すると、左側面板７ｄの上端の引っ掛け部１５を左上断熱材６ｃの上端の受け部１７に差し込んでから左側面板７ｄの下端を底板４に載せて正規の位置で底板４にネジ止め固定するようにしている。
【００４１】
このようにして、左側面板７ｄの上部の引っ掛け部１５が左上断熱材６ｄの受け部１７によって支えられ、底板４とのネジ止めを安定した状態で容易かつ安全に作業することができる。
【００４２】
ここで、前記受け部１７は予め断熱材をくり抜いた形状として、受け部１７への引っ掛け部１５の挿入と位置の微調整をを容易にしているが、これに限らず、先の一実施形態のように、引っ掛け部１５が断熱材素材を剪断しながら差し込まれるような受け部としてもよい。
【００４３】
また、この実施形態の引っ掛け部１５と受け部１７に追加して、先の実施形態で説明した成形断熱材６上部のフランジ部１０の受け部１１と側面板の折り返し部８ａの引っ掛け部９を設けてもよい。この場合、成形断熱材６上端にくり抜いた受け部１７を側面板の横スライドを加味した大きさに形成し、先の実施形態の様に側面板を横スライドさせて組み付ける組立方法で、安全かつ容易に組み立てることができる。
【００４４】
なお、本発明はこれまで説明してきた実施形態に限定されるものではなく、成形断熱材６の分割構成として、底部断熱材を左右分割したり、左右それぞれの上下の断熱材を一体にしたりしてもよく、また、正面板７ａ、７ｂを一体にしてもよく、発明の要旨を変更しない範囲で変更可能なものである。また、左側面板７ｄを右側面板７ｅより先に組み付ける順番で組立方法を説明したが、右側面板７ｅを先に組み付ける順番で組立てもよいものである。
【００４５】
また、引っ掛け部９、１３と側面板裏面との間の一定の間隔は厳密さは求められず、ほぼ一定間隔となることで、受け部１１、１７への引っ掛け部９、１５の進入を容易にするもので、受け部１１、１７としての成型断熱材６が引っ掛け部９、１５と側面板裏面との間に入ることを許容する間隔であれば多少変動してもよいものである。また、引っ掛け部９、１５としては、左右の側面板７ｄ、７ｅそのものを折り曲げた構成としたが、側面板とは別部材から引っ掛け部を構成し、側面板に取り付ける構成としてもよいものである。
【００４６】
また、実施形態では貯湯タンク１、２を２本設けた構成としたが、１本あるいは３本以上の複数本としたものでもよい。また、側面板も一枚構成としたが、上下分割や左右分割した構成としてもよい。そして、この貯湯タンク装置は、ヒートポンプ式の給湯機や燃料電池システム等のコージェネレーション装置の貯湯装置、あるいは貯湯タンク内に電熱ヒータを配して電気温水器として用いることができるものである。
【図面の簡単な説明】
【００４７】
【図１】本発明の一実施形態の貯湯タンク装置の斜視図。
【図２】同一実施形態の貯湯タンク装置の外装体を外した状態の分解斜視図。
【図３】同一実施形態の貯湯タンク装置の断熱材を外した状態の分解斜視図。
【図４】同一実施形態の貯湯タンク装置の側面板組み付け途中の斜視図。
【図５】図４中のＡ部の要部拡大断面図。
【図６】図４中のＡ部の要部拡大断面図。
【図７】同一実施形態の引っ掛け部と受け部の別形態の要部拡大斜視図。
【図８】本発明の他の一実施形態の貯湯タンク装置の側面板組み付け途中の斜視図。
【符号の説明】
【００４８】
１  第１貯湯タンク
２  第２貯湯タンク
４  底板
６  成型断熱材
６ａ  底部断熱材
６ｂ  左下断熱材
６ｃ  左上断熱材
６ｄ  右下断熱材
６ｅ  右上断熱材
６ｆ  前天部断熱材
６ｇ  後天部断熱材
６ｈ  センサ部断熱材
７  外装体
７ａ  上正面板
７ｂ  下正面板
７ｃ  背面板
７ｄ  左側面板
７ｅ  右側面板
７ｆ  天板
８ａ  折り返し部
８ｂ  折り返し部
９  引っ掛け部
１０  フランジ部
１１  受け部
【図１】
2010112608.tif 000003
【図２】
2010112608.tif 000004
【図３】
2010112608.tif 000005
【図４】
2010112608.tif 000006
【図５】
2010112608.tif 000007
【図６】
2010112608.tif 000008
【図７】
2010112608.tif 000009
【図８】
2010112608.tif 000010